(57)【要約】【課題】持ち運びする際に投写レンズが傷つけられ難くするとともに、筐体内の機器収納スペースが圧縮されないようにしたキャリングハンドルを備えた投写型映像表示装置を提供すること。【解決手段】直方体形状を基本形状とする筐体１と、投写レンズ２と、キャリングハンドル１０とを備え、筐体１における前壁３と側壁４との左右の角部の内の少なくとも一方の角部に、前記基本形状の角部を斜めにカットする傾斜壁５が形成されている。キャリングハンドル１０は、上下方向に手の把持部が形成されたものであって、筐体１の基本形状である直方体形状の角部位置に傾斜壁５と対向するように設けられている。そして、筐体１の上下部を傾斜壁５の端部位置からキャリングハンドル１０へ延長するとともに、キャリングハンドル１０の周囲に人の指を挿入することのできるスペースが設けられている。【選択図】図１
2010145967.tif 000002
【特許請求の範囲】
【請求項１】
光学系機器及び電子部品を収納するための、直方体形状を基本形状とする筐体と、筐体の前壁の略中央部において外側に突出するように設けられた投写レンズと、持ち運びするときに手を掛けるキャリングハンドルとを備えた投写型映像表示装置であって、
前記筐体は、前壁と側壁との左右の角部の内の少なくとも一方の角部に前記基本形状の角部を斜めにカットする傾斜壁が形成され、
前記キャリングハンドルは、上下方向に手の把持部が形成された形状を成して、筐体の基本形状である直方体形状の角部である前記傾斜壁と対向する位置に設けられ、
さらに、前記筐体には、前壁及び側壁における上下部を傾斜壁からキャリングハンドルまで延ばした上突出枠部と下突出枠部とが前壁及び側壁と一体的に形成され、また、上突出枠部と下突出枠部との中間高さ位置におけるキャリングハンドルの周囲には、キャリングハンドルを把持する人の手を挿入することのできるスペースが設けられている
ことを特徴とする投写型映像表示装置。
【請求項２】
前記筐体は、前壁と側壁との左右の角部の両角部に前記基本形状の角部を斜めにカットする傾斜壁が形成され、
前記キャリングハンドルは、各傾斜壁に対向するように前記両角部に設けられている
ことを特徴とする請求項１記載の投写型映像表示装置。
【請求項３】
前記キャリングハンドルは、筐体の上下面に形成された強度部材に取り付けられる金属製基材と、この金属製基材の前記傾斜壁側に取り付けられる内カバー部材と、この金属製基材の前記外側に取り付けられる外カバー部材とからなることを特徴とする請求項１又は２記載の投写型映像表示装置。
【請求項４】
前記上突出枠部及び下突出枠部は、前壁及び側壁における上下部を略そのままの形状でキャリングハンドルの方向に延ばした形状であり、
さらに、前記内カバー部材及び前記外カバー部材は、前記前壁及び側壁における上突出枠部及び下突出枠部を延長する形状に形成されていることを特徴とする請求項３記載の投写型映像表示装置。
【請求項５】
前記内カバー部材と前記外カバー部材とは、金属製基材側に上下方向に延びる複数のリブが形成され、これらリブにより前記金属製基材が挟着されるように形成されていることを特徴とする請求項３又は４記載の投写型映像表示装置。
【請求項６】
前記内カバー部材は、前記傾斜壁側の外表面が滑らかな曲面に形成されていることを特徴とする請求項３〜５の何れか１項に記載の投写型映像表示装置。
【請求項７】
前記キャリングハンドルは、内カバー部材の外側から金属製基材を介して外カバー部材の金属性基材側に形成されたねじ孔に螺合される組立ねじにより組み付けされるとともに、内カバー部材に設けられた前記組立ねじ用の貫通孔は、前記組立ねじの頭部が外表面に突出しないようにした凹部に形成されていることを特徴とする請求項３〜６の何れか１項に記載の投写型映像表示装置。
【請求項８】
前記金属製基材は、外カバー部材に設けられた位置決め用のピン、上下端部及び左右端部の位置が規制される規制壁、並びに前記リブにより、外カバー部材に重ねられた状態で位置規制されるように形成されていることを特徴とする請求項７記載の投写型映像表示装置。
【発明の詳細な説明】
【技術分野】
【０００１】
本発明は、投写型映像表示装置に係り、特に、キャリングハンドルを備えた投写型映像表示装置に関する。
【背景技術】
【０００２】
従来より、光源から出射された光束を画像情報に応じて変調して光学像を形成し、この光学像を拡大投写するプロジェクタが利用されている。このようなプロジェクタは、投写レンズ等の光学系機器、電子部品等を収納する筐体を備えている。また、一般に、筐体は、上下方向の寸法に対し左右前後方向の寸法が大きい略直方体形状に形成されていることが多い。また、投写レンズは、直方体形状の筐体を小型化するために筐体の平面形状における１辺の壁である前壁から突出するように形成される場合がある。なお、この明細書において、投写レンズの付けられている側が前であり、プロジェクタが大きな平面を床面に平行にして載置される場合を基準として上下方向をいうものとする。
【０００３】
また、投写レンズは、この場合において投写型映像表示装置、即ち、プロジェクタの天井取り付けを容易にするために前壁の略中央部に設けられることが多い。このように投写レンズが筐体の前壁の略中央部に設けられるのは、投写型映像表示装置の筐体の中心線とスクリーンの中心線とを略一致させることにより、スクリーンの中心線と投写レンズの中心線とを略一致させることができるので、プロジェクタの取付位置の設定が容易になるためである。
【０００４】
ここで、このようなプロジェクタの従来例を図８に基づき説明する。なお、このようなプロジェクタを記述したものとして特許文献１を掲げることができる。
従来のプロジェクタは、図８に示すように、上下方向の寸法が左右前後方向の寸法に比し小さい直方体形状の筐体１０１に形成されている。そして、投写レンズ１０２が筐体１０１における平面視短辺を成す前壁１０３の略中央部において外側に突出するように配置されるとともに、キャリングハンドル１０４が筐体１０１における平面視長辺を成す側壁１０５の略中央に設けられている。キャリングハンドル１０４の二つの基端部分１０４ａ，１０４ｂは、側壁１０５の中間高さ位置で回転可能に取り付けられるとともに、側壁１０５の上方部に設けられた収納用凹部１０６に収納されるように構成されている。
【特許文献１】特許第３４６７５６１号公報
【発明の開示】
【発明が解決しようとする課題】
【０００５】
しかしながら、上記従来のプロジェクタによれば、キャリングハンドル１０４が側壁１０５の中央部に設けられているため、持ち運びするときに投写レンズ１０２が搬送者の前方又は後方に突出する状態となるので、投写レンズ１０２を傷つけ易いという問題があった。また、側壁１０５の中央部に収納用凹部１０６を形成するため、内部機器を配置するスペースが圧縮されるという問題があった。
【０００６】
本発明は、このような問題に鑑み、持ち運びする際に投写レンズが傷つけられ難くするとともに、筐体内の機器収納スペースが圧縮されないようにしたキャリングハンドルを備えた投写型映像表示装置を提供することを目的とする。
【課題を解決するための手段】
【０００７】
本発明に係る投写型映像表示装置は、光学系機器及び電子部品を収納するための、直方体形状を基本形状とする筐体と、筐体の前壁の略中央部において外側に突出するように設けられた投写レンズと、持ち運びするときに手を掛けるキャリングハンドルとを備えた投写型映像表示装置であって、前記筐体は、前壁と側壁との左右の角部の内の少なくとも一方の角部に、前記基本形状の角部を斜めにカットする傾斜壁が形成され、前記キャリングハンドルは、上下方向に手の把持部が形成された形状を成して、筐体の基本形状である直方体形状の角部位置に前記傾斜壁と対向するように設けられ、さらに、前記筐体には、前壁及び側壁における上下部を傾斜壁からキャリングハンドルまで延ばした上突出枠部と下突出枠部とが前壁及び側壁と一体的に形成され、また、上突出枠部と下突出枠部との中間高さ位置におけるキャリングハンドルの周囲には、キャリングハンドルを把持する人の手を挿入することのできるスペースが設けられていることを特徴とする。
【０００８】
この構成によると、キャリングハンドルを握ってプロジェクタを持ち運びする際には、投写レンズが搬送者の体の横位置で上方を向くようになるので、投写レンズが傷つけられ難くなる。また、キャリングハンドルは、投写レンズが突出する前壁の左右両角部の内の少なくとも何れかの角部に設けられているので、キャリングハンドルのために内部機器収納スペースが圧縮されることもない。
【０００９】
また、前記筐体は、前壁と側壁との左右の角部の両角部に前記基本形状の角部を斜めにカットする傾斜壁が形成され、前記キャリングハンドルは、各傾斜壁に対向するように前記両角部に設けられていることが好ましい。このように構成すると、重いプロジェクタを持ち運びする場合に、従来のものでは一側壁にのみキャリングハンドルが設けられていたので二人で持つことができなかったが、本発明の場合には、前壁と側壁との左右の角部の両角部にキャリングハンドルが設けられているので、二人で楽に持つこともできる。また、これらキャリングハンドルを使用して一人の搬送者が両手を使って持つこともできる。
【００１０】
また、前記キャリングハンドルは、筐体の上下面に形成された強度部材に取り付けられる金属製基材と、この金属製基材の前記傾斜壁側に取り付けられる内カバー部材と、この金属製基材の前記外側に取り付けられる外カバー部材とからなるようにすることが好ましい。このように構成すると、必要な強度を得ることができるとともに、内カバー部材と外カバー部材によりキャリングハンドルの見栄えを良好にすることができる。
【００１１】
また、前記上突出枠部及び下突出枠部は、前壁及び側壁における上下部を略そのままの形状でキャリングハンドルの方向に延ばした形状であり、さらに、前記内カバー部材及び前記外カバー部材は、前記前壁及び側壁における上突出枠部及び下突出枠部を延長する形状に形成されていることが好ましい。このように構成すると、キャリングハンドルを筐体の一部のようにしたデザインを構築することができる。
【００１２】
また、前記内カバー部材と前記外カバー部材とは、金属製基材側に上下方向に延びる複数のリブが形成され、これらリブにより前記金属製基材が挟着されるように形成されているようにすることが好ましい。このように構成すると、内カバー部材と外カバー部材とはそれぞれに形成されたリブを介して金属製基材を挟むように取り付けられているので、把持力によるキャリングハンドルの損傷のおそれを無くすことができる。
【００１３】
前記内カバー部材は、前記傾斜壁側の外表面が滑らかな曲面に形成されていることが好ましい。このように構成すると、キャリングハンドルを握る手に強い刺激を与えることがなく良い感触を与えることができる。
【００１４】
また、前記キャリングハンドルは、内カバー部材の外側から金属製基材を介して外カバー部材の金属性基材側に形成されたねじ孔に螺合される組立ねじにより組み付けされるとともに、内カバー部材に設けられた前記組立ねじ用の貫通孔は、前記組立ねじの頭部が外表面に突出しないようにした凹部に形成されていることが好ましい。このようにすると、投写型映像表示装置の外側からはキャリングハンドルを組み付ける組立ねじが見えないので見栄えが良好になる。また、キャリングハンドルを握る手に傷をつけることがない。
【００１５】
また、この場合において、前記金属製基材は、外カバー部材に設けられた位置決め用のピン、上下端部及び左右端部の位置が規制される規制壁、並びに前記リブにより、外カバー部材に重ねられた状態で位置規制されるように形成されていることが好ましい、このように構成すると、キャリングハンドルを組み付けるときに、外カバー部材に金属製基材を重ねると、相互の位置関係が規制される。したがって、その後に金属製基材を挟むように内カバー部材を所定位置に重ねると、内カバー部材、金属製基材及び外カバー部材の組み立て用の貫通孔及びねじ孔の芯合わせが行われ、組み付け作業が楽になる。
【発明の効果】
【００１６】
本発明に係る投写型映像表示装置によれば、キャリングハンドルを握ってプロジェクタを持ち運びする際には、投写レンズが搬送者の体の横位置で上方を向くようになるので、投写レンズが傷つけられ難くなる。また、キャリングハンドルは、投写レンズが突出する前壁の左右両角部の内の少なくとも何れかの角部に設けられているので、キャリングハンドルのために内部機器収納スペースが圧縮されることもない。
【発明を実施するための最良の形態】
【００１７】
以下、本発明の実施の形態に係る投写型映像表示装置について図面を参照しながら説明する。
本実施の形態に係る投写型映像表示装置は、図１の外観斜視図に示すように、光学系機器、電子部品等を収納するための筐体１と、筐体１の前壁の略中央部において外側に突出するように設けられた投写レンズ２とを備えている。また、投写レンズ２の左右にはキャリングハンドル１０が設けられている。なお、以下の説明において、前後左右及び上下方向をいうときは、投写レンズ２が取り付けられている側が前方向であり、図１における上方が上方向であるものとする。
【００１８】
筐体１は、直方体形状を基本形状とするものであって、上下方向の寸法に対し左右前後方向の寸法が大きい略直方体形状に形成されている。しかしながら、前壁３と側壁４との左右の両角部は、傾斜壁５により斜めにカットされている。そして、筐体１の基本形状である直方体形状の角部である傾斜壁５と対向する位置にキャリングハンドル１０が取り付けられている。
【００１９】
図２に示すように、前壁３の上下部には、前壁３の上下部を略そのままの形状で傾斜壁５の端部からキャリングハンドル１０まで延長する上突出枠部３ａ及び下突出枠部４ｂがそれぞれ形成されている。また、側壁４の上下部には、側壁４の上下部を略そのままの形状で傾斜壁５の端部からキャリングハンドル１０まで延長する上突出枠部４ａ及び下突出枠部４ｂが形成されている。
【００２０】
傾斜壁５の筐体内部側位置の上下部には、キャリングハンドル１０を取り付けるための取付板６，７が上下方向に平面を成して形成されている。筐体１の上下面部には強度部材が装備されており、上下の取付板６，７は、この強度部材に連結されている。また、この取付板６，７には、キャリングハンドル１０を取り付けるための取付ネジを貫通させる貫通孔６ａ，７ａが形成されている。
【００２１】
キャリングハンドル１０は、図３及び図４の分解斜視図に示すように、上下方向に手の把持部が形成された形状を成したものである。また、キャリングハンドル１０は、筐体１の上下強度部材側の取付板６，７に取り付けられる金属製基材２０と、この金属製基材２０の後側、即ち傾斜壁５側に取り付けられる樹脂製の内カバー部材３０と、この金属製基材２０の前側、即ち外側に取り付けられる樹脂製の外カバー部材４０とから構成されている。
【００２２】
金属製基材２０は鉄板製であって、上下方向に延びる基部２１とこの基部２１の上下が折り曲げられて形成された腕部２２、２３とから構成されている。基部２１は、図３に示すように水平断面コ字状に形成されるとともに、平面部２４には組立ねじ２５を貫通させる２個の貫通孔２６と、外カバー部材４０に形成されている位置決め用のピン４１を貫通させる３個のピン孔２７とが形成されている。また、腕部２２、２３の先端には上下方向の平坦面が形成され、この平坦面にはキャリングハンドル１０を筐体１の取付板６，７に取り付けるためのねじ孔２２ａ，２３ａが上下の腕部２２、２３において各２個形成されている。
【００２３】
キャリングハンドル１０は、取付ねじ（不図示）が筐体１の内部側から取付板６，７の貫通孔６ａ，７ａを介し金属製基材２０のねじ孔２２ａ，２３ａに螺合されることにより取り付けられている。なお、この取付は、筐体１の上面板１ａ（図１参照）及び下面板を取り外した状態で行われる。
【００２４】
内カバー部材３０は、金属製基材２０の傾斜壁５側を覆う形状に形成されている。また、内カバー部材３０における金属製基材２０の基部２１を覆う中央部３０ａの傾斜壁５側には、基部２１の水平断面コ字状の内側に嵌るとともに平面部２４の傾斜壁５側表面に当接する上下方向の２条のリブ３１が形成されるとともに、内カバー部材３０の傾斜壁５側表面から組立ねじ２５を貫通させるための２個の貫通孔３２が形成されている。この貫通孔３２は、図３〜図６から分かるように、円柱状の凹部３３における底壁に形成されるとともに、この凹部３３を形成する底壁が平面部２４に当接するように形成されており、さらに、組立ねじ２５の頭部がこの凹部３３内に収納されるように形成されている。
【００２５】
また、内カバー部材３０は、図４及び図５に示すように、キャリングハンドル１０を把持したときの感触を良好にするために、傾斜壁５に対向する外表面部が滑らかな曲面に形成されている。また、内カバー部材３０の金属製基材２０の腕部２２，２３を覆う上部３０ｂ及び下部３０ｃは、側端部が筐体１の上突出枠部３ａ，４ａ及び下突出枠部３ｂ，４ｂの端部に当接するとともに、この上突出枠部３ａ，４ａ及び下突出枠部３ｂ，４ｂの筐体内側の形状をそのまま延長して一体性を持たせた形状に形成されている。さらに、内カバー部材３０の上下方向に延びる左右の側端部には、外カバー部材４０の左右の側端部に係合する係合溝３４が形成されている。
【００２６】
外カバー部材４０は、金属製基材２０の外側を覆う形状に形成されている。また、外カバー部材４０における基部２１を覆う中央部４０ａの金属製基材２０側には、キャリングハンドル１０としての組み付けを行う際に、金属製基材２０の位置決めを行う３個のピン４１が形成されている。また、外カバー部材４０には、金属製基材２０の平面部２４を支持する縦方向の２条のリブ４２、平面部の上下端部を当接させる上下の規制壁４３，４４、金属製基材２０の左右方向の位置決めを行なう規制壁４３ａ，４４ａ（図４及び図６参照）などが形成されている。また、２条のリブ４２の中間には、組立ねじ２５を螺合するねじ孔４５ａが形成されたねじ座４５が中央部４０ａから立設されて形成されている。さらに、外カバー部材４０の上下方向に延びる左右の側端部には、内カバー部材３０の係合溝３４に係合する係合突部４６が形成されている。
【００２７】
外カバー部材４０における金属製基材２０の腕部２２，２３を覆う上部４０ｂ及び下部４０ｃは、図１及び図２に示すように、側端部が筐体１の上突出枠部３ａ，４ａ及び下突出枠部３ｂ，４ｂの端部に当接するとともに、この上突出枠部３ａ，４ａ及び下突出枠部３ｂ，４ｂの外側形状をそのまま延長して一体性を持たせた形状に形成されている。このように構成することにより、前述の内カバー部材３０における上部３０ｂ及び下部３０ｃとの形状と相俟ってキャリングハンドル１０と筐体１とに一体感を持たせるように形成されている。
【００２８】
上記構成において内カバー部材３０の中央部３０ａ及び外カバー部材４０の中央部４０ａは、このキャリングハンドル１０における把持部を構成する。
また、このように筐体１及びキャリングハンドルが構成されていることにより、上突出枠部３ａ，４ａと下突出枠部３ｂ，４ｂとの中間位置において、キャリングハンドル１０の周囲と筐体１との間には、キャリングハンドル１０を把持する人の指がキャリングハンドル１０の側壁側及び前壁側から入るスペースが設けられている。すなわち、上突出枠部３ａ，４ａと下突出枠部３ｂ，４ｂとの中間位置において、キャリングハンドル１０と前壁３との間、キャリングハンドル１０と側壁４との間、キャリングハンドル１０の傾斜壁側表面と傾斜壁５との間には、キャリングハンドル１０を角部の外側から把持可能とするために必要な寸法のスペースがそれぞれ形成されている。
【００２９】
また、上記のように構成されるキャリングハンドル１０は、次にようにして組み付けされる。先ず、外カバー部材４０の金属製基材２０側に金属製基材２０を乗せる。このとき外カバー部材４０のピン４１が金属製基材２０のピン孔２７に嵌るようにする。これにより金属製基材２０の基部２１の上下端が規制壁４３，４４に当接するとともに、基部２１の左右側端部が規制壁４３ａ，４４ａに当接しその移動が規制される。次いで、内カバー部材３０を金属製基材２０の上に被せると、外カバー部材４０の係合突部４６に対し内カバー部材３０の係合溝３４が嵌り、内カバー部材３０が金属製基材２０を挟んだ状態で所定の位置に重ね合わされる。これにより、内カバー部材３０の貫通孔３２、金属製基材２０の貫通孔２６及び外カバー部材４０のねじ孔４５ａの芯合わせが行われる。そこで、２本の組立ねじ２５を貫通孔３２からねじ孔４５ａに締め付けることにより、金属製基材２０が内カバー部材３０及び外カバー部材４０における金属製基材２０側の面に形成された上下方向のリブ３１，４２に挟着されて、キャリングハンドル１０の組み付けが完了する。
【００３０】
このように組み付けられたキャリングハンドル１０は、筐体１の上面板１ａ及び下面板を外した状態にして、筐体１の内部側から取付板６，７に形成された貫通孔６ａ，７ａを介して取付ねじを挿入し、キャリングハンドル１０のねじ孔２２ａ，２３ａにねじ込むことにより取り付けられる。このようにしてキャリングハンドル１０が取り付けられ、上面板１ａ及び下面板が取り付けられた完成状態が図１のようになり、キャリングハンドル１０が筐体１の一部のような印象を与えるデザインに形成される。また、キャリングハンドル１０の側方と側壁４との間及び筐体１の傾斜壁５との間にキャリングハンドル１０を握るために必要なスペースが形成される。
【００３１】
したがって、以上のように形成された投写型映像表示装置は、キャリングハンドル１０に手を掛けて持ち運びすることができる。搬送者８が一人のときは図７（ａ）のように片手で持ち運びされ、搬送者８が二人のときは図７（ｂ）のように各人が片方のキャリングハンドル１０を持って持ち運びされる。なお、図示しないが、搬送者８が一人の場合において両角部のキャリングハンドル１０に両手を掛けて持つこともできる。このようにして何れの搬送においても投写レンズ２が搬送者８の体の近くで上向きとなる姿勢で持ち運びされることになるので、持ち運び中に投写レンズ２が傷つけられ難くなる。
【００３２】
本実施の形態に係る投写型映像表示装置は、以上のように構成されているので次のような効果を奏することができる。
（１）略直方体を成すように形成された筐体１において、側壁４と、投写レンズ２が突出するように設けられている前壁３との成す左右の両角部のうちの少なくとも一方の角部にキャリングハンドル１０が設けられている。したがって、キャリングハンドル１０を握ってプロジェクタを持ち運びする際には、投写レンズ２が搬送者８の体の横位置で上方を向くようになるので、投写レンズ２が傷つけられ難くなる。また、キャリングハンドル１０は、投写レンズ２が突出する前壁３の側方角部に設けられているので、キャリングハンドル１０のために内部機器収納スペースが圧縮されることもない。
【００３３】
（２）また、キャリングハンドル１０は、前壁３と側壁４との左右の両角部に設けられているので、投写型映像表示装置が重たいときには、二人の搬送者８で持ち運びすることもできる。また、一人の搬送者８が両手で持つときも力を入れ易く便利である。
【００３４】
（３）また、キャリングハンドル１０は、筐体１の上下の強度部材に取り付けられる金属製基材２０と、この金属製基材２０の傾斜壁５側に取り付けられる樹脂製の内カバー部材３０と、この金属製基材２０の外側に取り付けられる樹脂製の外カバー部材４０とから構成されている。したがって、必要な強度を得ることができるとともに、内カバー部材３０と外カバー部材４０とによりキャリングハンドル１０の見栄えを良好にすることができる。
【００３５】
（４）また、上突出枠部３ａ，４ａ及び下突出枠部３ｂ，４ｂは、前壁３及び側壁４における上下部を略そのままの形状でキャリングハンドル１０の方向に延ばした形状であり、さらに、内カバー部材３０及び外カバー部材４０は、前壁３及び側壁４における上突出枠部３ａ，４ａ及び下突出枠部３ｂ，４ｂを略そのまま延長する形状に形成されている。したがって、キャリングハンドル１０を筐体１の一部のようにしたデザインを構築することができる。
【００３６】
（５）内カバー部材３０と外カバー部材４０とは、それぞれの金属製基材２０側の表面に形成されたリブ３１，４２により金属製基材２０を挟着するように取り付けられているので、把持力によるキャリングハンドル１０の損傷のおそれを無くすことができる。
【００３７】
（６）内カバー部材３０は、傾斜壁５側の外表面が滑らかな曲面に形成されているので、キャリングハンドル１０を握る手に強い刺激を与えることなく良い感触を与えることができる。
【００３８】
（７）キャリングハンドル１０を組み付ける組立ねじ２５は、頭部が内カバー部材３０の組立ねじ２５用の貫通孔３２を形成する凹部３３に頭部が収納されるので、外側からキャリングハンドル１０を組み付ける組立ねじ２５が見えず、見栄えが良好になる。また、キャリングハンドル１０を握る手に傷をつけることがない。
【００３９】
（８）金属製基材２０は、外カバー部材４０に金属製基材２０を重ねると、外カバー部材４０に設けられたピン４１、リブ４２、上下端部の位置を規制する規制壁４３，４４及び左右端部の位置を規制する規制壁４３ａ，４４ａにより相互の位置関係が規制される。そして、この後に金属製基材２０を挟むように内カバー部材３０を外カバー部材４０に対し、所定の位置に重ねると、外カバー部材４０のねじ座４５に設けられたねじ孔４５ａと、金属製基材２０及び内カバー部材３０に設けられた貫通孔２６，３２の芯合せが行われることになるので、組み付け作業が楽になる。なお、内カバー部材３０と外カバー部材４０との重ね合せにおいて、係合溝３４に対し係合突部４６を係合させることにより、両者が所定の位置で重ね合わされる。
【００４０】
（変形例）
本発明は、上記実施の形態において以下のように変更することもできる。
・キャリングハンドル１０は、投写レンズ２が突出するように設けられている前壁３と側壁４との左右の両角部に設けられていたが、本発明は何れか一方の角部に設けたものを包含する。
【００４１】
・前述のキャリングハンドル１０は、盗難防止用のワイヤを挿通する部材として兼用してもよい。この場合、ワイヤを水平方向に挿通させることができるので、ワイヤを投写型映像表示装置の設置面に干渉されずに取り付けることができる。
【００４２】
・前述の実施の形態においては投写型映像表示装置の形式について詳しく触れていないが、３板式等の液晶プロジェクタ、ＤＭＤを用いたプロジェクタなど種々の形式の投写型映像表示装置に適用することができる。
【００４３】
・キャリングハンドル１０は、筐体１の内部から取付ねじが螺合されて取り付けられていたが、次のようにして取り付けることができる。即ち、金属製基材２０における腕部２２，２３において筐体１側の面に対し取付ねじのねじ部が突出するように取り付け、この取り付けねじのねじ部を取付板６，７の貫通孔６ａ，７ａを貫通させる。そして、上面板１ａ又は下面板の一部にサービス窓を設け、このサービス窓を使用して取付板６，７から突出する取り付けねじに対しナットを締結できるようにしてもよい。このようにすると、筐体１が組み付けられた状態でキャリングハンドル１０を取り付けることもできる。
【００４４】
・投写型映像表示装置は、本体を天井から吊下げて取り付ける場合に、一般に、本体の落下防止のために落下防止用ワイヤが本体のアジャスタ等に取り付けられているが、この取付位置をキャリングハンドル１０としてもよい。この場合、落下防止用ワイヤの一端をキャリングハンドル１０に対し側方から通してキャリングハンドル１０に縛りつけるようにすればよい。
【図面の簡単な説明】
【００４５】
【図１】本発明の実施の形態に係る投写型映像表示装置の外観斜視図である。
【図２】同投写型映像表示装置におけるキャリングハンドル取付部の分解斜視図である。
【図３】同投写型映像表示装置におけるキャリングハンドルの前側からの分解斜視図である。
【図４】同投写型映像表示装置におけるキャリングハンドルの後側からの分解斜視図である。
【図５】同投写型映像表示装置におけるキャリングハンドルの平断面を表し、図６におけるＶ−Ｖ断面図である。
【図６】同投写型映像表示装置におけるキャリングハンドルの縦断面を表し、図５におけるＶＩ−ＶＩ断面図である。
【図７】同投写型映像表示装置の持ち運びの状態図であり、（ａ）は一人で運ぶ場合の状態図であり、（ｂ）は二人で運ぶ場合の状態図である。
【図８】従来例に係る投写型映像表示装置の外観斜視図である。
【符号の説明】
【００４６】
１…筐体、２…投写レンズ、３…前壁、３ａ，４ａ…上突出枠部、３ｂ，４ｂ…下突出枠部、４…側壁、５…傾斜壁、１０…キャリングハンドル、２０…金属性基材、２５…組立ねじ、３０…内カバー部材、３１，４２…リブ、３２…（組立ねじ用の）貫通孔、３３…凹部、４０…外カバー部材、４１…ピン、４３，４３ａ，４４，４４ａ…規制壁、４５ａ…（組立ねじ用の）ねじ孔。
【図１】
2010145967.tif 000003
【図２】
2010145967.tif 000004
【図３】
2010145967.tif 000005
【図４】
2010145967.tif 000006
【図５】
2010145967.tif 000007
【図６】
2010145967.tif 000008
【図７】
2010145967.tif 000009
【図８】
2010145967.tif 000010